(57)【要約】【課題】粘着パッドの肌残りを抑えられる技術を提供する。【解決手段】電気刺激装置１４の電極部２０と身体Ｂを導通させるための粘着パッド１０であって、電気刺激装置粘着面３２と、身体粘着領域３６が設けられた身体対向面３４と、を備え、身体対向面３４には弱粘着領域３８が設けられ、弱粘着領域３８は、弱粘着領域３８とは表裏反対側にある電気刺激装置粘着面３２の一部より粘着力が弱い。弱粘着領域３８は、身体対向面３４の外縁部に少なくとも設けられていてもよい。【選択図】図２
2020162729.tif 000002
【特許請求の範囲】
【請求項１】
電気刺激装置の電極部と身体を導通させるための粘着パッドであって、
電気刺激装置粘着面と、
身体粘着領域が設けられた身体対向面と、を備え、
前記身体対向面には弱粘着領域が設けられ、
前記弱粘着領域は、前記弱粘着領域とは表裏反対側にある前記電気刺激装置粘着面の一部より粘着力が弱い粘着パッド。
【請求項２】
前記弱粘着領域は、前記身体対向面の外縁部に少なくとも設けられる請求項１に記載の粘着パッド。
【請求項３】
前記弱粘着領域は、前記身体粘着領域を構成する粘着体とは別体のシート体が構成する請求項１または２に記載の粘着パッド。
【請求項４】
前記シート体の縁部がなす角部は円弧状をなす請求項３に記載の粘着パッド。
【請求項５】
前記弱粘着領域は、粘着体の表面に複数の切れ目を形成して構成される請求項１または２に記載の粘着パッド。
【請求項６】
本粘着パッドの厚み方向と直交するとともに互いに直交する二つの方向を第１方向及び第２方向としたとき、
前記弱粘着領域は、前記身体対向面の前記第１方向の一方の端部に設けられ、
前記身体粘着領域は、前記一方の端部から前記第１方向の他方の端部側に向かうにつれて、前記第２方向の大きさが大きくなるように構成される請求項１から５のいずれかに記載の粘着パッド。
【請求項７】
請求項１〜６のいずれかに記載の粘着パッドと、
前記粘着パッドの前記電気刺激装置粘着面が貼り付けられる電気刺激装置と、を備える電気刺激ユニット。
【発明の詳細な説明】
【技術分野】
【０００１】
本発明は、電気刺激装置に用いられる粘着パッドに関する。
【背景技術】
【０００２】
従来、ユーザの筋肉に電気刺激を付与するための電気刺激装置が提案されている（たとえば、特許文献１参照）。これを用いることで、電気刺激により筋肉の収縮と弛緩を伴う運動が促される。この電気刺激装置は、通常、電気刺激を付与するための電極部を備えている。
【先行技術文献】
【特許文献】
【０００３】
【特許文献１】特開２０１７−１５３８２２号公報
【発明の概要】
【発明が解決しようとする課題】
【０００４】
身体に対する電極部の固定度を高めるため、導電性を持つ粘着パッドを介して電気刺激装置を身体に取り付ける場合がある。この場合、電気刺激装置を身体から取り外そうとするうえで、粘着パッドが電極部から剥がれてしまい、粘着パッドが身体に残ったままとなる肌残りが生じることがある。
【０００５】
本発明のある態様は、このような課題に鑑みてなされ、その目的の１つは、粘着パッドの肌残りを抑えられる技術を提供することにある。
【課題を解決するための手段】
【０００６】
前述の課題を解決するための本発明のある態様は粘着パッドである。この態様の粘着パッドは、電気刺激装置の電極部と身体を導通させるための粘着パッドであって、電気刺激装置粘着面と、身体粘着領域が設けられた身体対向面と、を備え、前記身体対向面には弱粘着領域が設けられ、前記弱粘着領域は、前記弱粘着領域とは表裏反対側にある前記電気刺激装置粘着面の一部より粘着力が弱い。
【０００７】
前述の態様によれば、粘着パッドの肌残りを抑えられる。
【図面の簡単な説明】
【０００８】
【図１】図１（ａ）は、参考形態の粘着パッドを示す模式図であり、図１（ｂ）は、電気刺激装置に剥離力を付与している状態を示す図であり、図１（ｃ）は、粘着パッドの肌残りが生じている状態を示す図である。
【図２】図２（ａ）は、第１実施形態の粘着パッドを示す模式図であり、図２（ｂ）は、電気刺激装置に剥離力を付与している状態を示す図であり、図２（ｃ）は、粘着パッドが身体から剥離している途中の状態を示す図である。
【図３】第１実施形態の電気刺激ユニットの使用状態を示す説明図である。
【図４】第１実施形態の電気刺激装置の裏面図である。
【図５】第１実施形態の粘着パッドの側面断面図である。
【図６】図５の矢視Ａから粘着パッドを見た図である。
【図７】図５の矢視Ｂから粘着パッドを見た図である。
【図８】第１実施形態の粘着パッドを用いたパッドユニットの側面断面図である。
【図９】図８の矢視Ｃからパッドユニットを見た図である。
【図１０】第２実施形態の粘着パッドの側面断面図である。
【図１１】図１０の矢視Ｅから粘着パッドを見た図である。
【発明を実施するための形態】
【０００９】
以下、実施形態、変形例では、同一の構成要素に同一の符号を付し、重複する説明を省略する。各図面では、説明の便宜のため、構成要素の一部を適宜省略し、構成要素の寸法を適宜拡大、縮小して示す。図面は符号の向きに合わせて見るものとする。
【００１０】
（第１の実施の形態）
第１実施形態の粘着パッドを想到するに到った背景から説明する。図１（ａ）は、参考形態の粘着パッド１００を示す模式図である。粘着パッド１００は、一方の主面の全域を構成する電気刺激装置粘着面１０２と、他方の主面の全域を構成する身体粘着領域１０４とを有する。以下、電気刺激装置粘着面を単に装置粘着面という。装置粘着面１０２は電気刺激装置１４の電極部２０に貼り付けられ、身体粘着領域１０４は身体Ｂに貼り付けられる。装置粘着面１０２と身体粘着領域１０４とは導電性を有する粘着体１０６が構成し、同じ粘着力を持つ。
【００１１】
図１（ｂ）は、電気刺激装置１４に剥離力Ｆａを付与している状態を示す図である。この剥離力Ｆａは、粘着パッド１００を身体Ｂから剥離しようとしたとき、粘着パッド１００の一部を剥離力受け部１００ａとして、その剥離力受け部１００ａに電気刺激装置１４から伝達される。これにより、剥離力Ｆａは、粘着パッド１００の身体粘着領域１０４を身体Ｂから剥がすように剥離力受け部１００ａに付与される。このとき剥離力Ｆａは、粘着パッド１００の装置粘着面１０２から電気刺激装置１４を剥がすように電気刺激装置１４の一部１４ａにも同程度に付与される。ここでは、粘着パッド１００の外縁部が剥離力受け部１００ａとなるように剥離力Ｆａを付与する例を示す。
【００１２】
ここで、前述の通り、粘着パッド１００の装置粘着面１０２と身体粘着領域１０４とは同じ粘着力を持つ。よって、このように剥離力Ｆａが付与されたとき、粘着パッド１００の剥離力受け部１００ａにおいて、その身体粘着領域１０４と身体Ｂの界面の他に、その装置粘着面１０２と電気刺激装置１４の界面も剥離の起点となり得る。このため、図１（ｃ）に示すように、粘着パッド１００の剥離力受け部１００ａにおいて、その身体粘着領域１０４が身体Ｂから剥離せずに、その装置粘着面１０２から電気刺激装置１４の一部１４ａが剥離する事態が生じ得る。この状態で電気刺激装置１４に対する装置粘着面１０２の剥離が進展すると、粘着パッド１００が身体Ｂに残ったままとなる肌残りが生じる。
【００１３】
図２（ａ）は、第１実施形態の粘着パッド１０を示す模式図である。前述の問題の対策として、本実施形態の粘着パッド１０では、粘着パッド１０の身体対向面３４（後述する）に弱粘着領域３８を設け、その弱粘着領域３８とは表裏反対側にある装置粘着面３２の一部より弱粘着領域３８の粘着力を弱めている。
【００１４】
図２（ｂ）は、電気刺激装置１４に剥離力Ｆａを付与している状態を示す図である。本実施形態の粘着パッド１０には、その弱粘着領域３８と厚み方向Ｚで重なる位置が剥離力受け部１０ａとなるように電気刺激装置１４に剥離力Ｆａを付与する。これにより、剥離力Ｆａは、弱粘着領域３８を身体Ｂから剥がすように剥離力受け部１０ａに付与される。このとき剥離力Ｆａは、粘着パッド１０の装置粘着面３２から電気刺激装置１４を剥がすように、その弱粘着領域３８と表裏反対側で同じ位置にある電気刺激装置１４の一部１４ａにも同程度に付与される。
【００１５】
ここで、弱粘着領域３８は、弱粘着領域３８とは表裏反対側にある装置粘着面３２の一部より粘着力が弱められている。よって、このように剥離力Ｆａが付与されたとき、粘着パッド１０の剥離力受け部１０ａにおいて、電気刺激装置１４と装置粘着面３２の界面よりも、その弱粘着領域３８と身体Ｂの界面を起点として剥離させ易くなる（図２（ｃ）参照）。これに伴い、粘着パッド１０の装置粘着面３２から電気刺激装置１４が剥離する事態を避けられ、粘着パッド１０の肌残りを抑えられる。
【００１６】
以下、このような背景のもとでなされた粘着パッド１０の詳細を説明する。図３は、実施形態の粘着パッド１０が用いられる電気刺激ユニット１２の使用状態を示す説明図である。電気刺激ユニット１２は、電気刺激装置１４と、電気刺激装置１４を制御するためのコントロールユニット１６と、を備える。
【００１７】
図４は、電気刺激装置１４の裏面図である。本実施形態の電気刺激装置１４は、ユーザの筋肉に電気刺激を付与する電気刺激装置である。電気刺激装置１４は、粘着パッド１０を介して身体Ｂに取り付けられる本体部１８と、本体部１８に設けられる電極部２０と、を備える。
【００１８】
本実施形態の本体部１８は、可とう性を持つ面状構造体である。本実施形態の本体部１８は、シリコン等のエラストマーにより構成される。以下、特に言及しない限り、本体部１８を平面的に展開した状態を基準に説明する。
【００１９】
電極部２０は、身体と対向する本体部１８の裏面部に設けられる。本実施形態では６つの電極部２０が本体部１８に設けられる。本実施形態の電極部２０は、本体部１８と一体的に形成されている。本実施形態の電極部２０は、銀ペースト等の導電性インクを本体部１８の裏面部に印刷することで形成される。
【００２０】
電気刺激ユニット１２は、電極部２０とコントロールユニット１６とを電気的に接続する配線部２２を備える。本実施形態の配線部２２は、本体部１８と一体的に形成されている。本実施形態の配線部２２も、銀ペースト等の導電性インクを本体部１８の裏面部に印刷することで形成される。
【００２１】
コントロールユニット１６は、ＣＰＵ、ＲＡＭ、ＲＯＭ等の組み合わせを筐体に収めて構成される。本実施形態のコントロールユニット１６は、電気刺激装置１４の本体部１８と一体化されており、その本体部１８に着脱可能に設けられる。コントロールユニット１６は、不図示の電源部から供給される電力を用いて動作する。電源部は、外部電源でもよいし、一次電池、二次電池等の電池でもよい。
【００２２】
コントロールユニット１６は、不図示の操作部に対する操作を通じて所定の制御開始条件を満たすと、複数の電極部２０を通して身体に出力される出力信号を制御する信号制御を行う。本実施形態の出力信号は、電気刺激の付与のために身体に通電される刺激信号である。本実施形態の信号制御では、予め設定された設定動作時間（たとえば、１０分）、予め設定された周波数（たとえば、２０Ｈｚ）で、複数の電極部２０に刺激信号として交流電圧を印加する。これにより、ユーザの身体を通電経路として出力信号が出力される。本実施形態では、その通電経路上を流れる刺激信号（出力信号）により、その通電経路上にある筋肉の運動が促される。
【００２３】
粘着パッド１０は、電気刺激装置１４の本体部１８を身体Ｂに取り付けるとともに、その電極部２０と身体Ｂを導通させる（図２（ａ）も参照）。粘着パッド１０は、電極部２０のそれぞれに対応して個別に設けられ、その対応する電極部２０と身体Ｂを導通させる。以後、一つの電極部２０に対応する粘着パッド１０を説明するが、他の粘着パッド１０も同様の構成である。
【００２４】
図５は、粘着パッド１０の側面断面図であり、図６は、図５の矢視Ａから粘着パッド１０を見た図であり、図７は、図５の矢視Ｂから粘着パッド１０を見た図である。
【００２５】
粘着パッド１０は、全体としてシート状をなす。本実施形態の粘着パッド１０は、その厚み方向Ｚから見て、互いに隣り合う第１辺Ｌａ及び第２辺Ｌｂを持つ仮想的な矩形が外接する形状である。「厚み方向Ｚから見る」とは、図６、図７の視点から見ることと同義である。本実施形態では第１辺Ｌａが長辺、第２辺Ｌｂが短辺となる長方形状をなす。以下、第１辺Ｌａに沿った第１辺方向を長辺方向Ｘ（第１方向）といい、第２辺Ｌｂに沿った第２辺方向を短辺方向Ｙ（第２方向）という。長辺方向Ｘ及び短辺方向Ｙは、粘着パッド１０の厚み方向Ｚと直交するとともに互いに直交する二つの方向となる。
【００２６】
粘着パッド１０は、導電性を有するシート状の粘着体３０と、粘着パッド１０の一方の主面に設けられる装置粘着面３２（電気刺激装置粘着面）と、その他方の主面に設けられる身体対向面３４とを備える。ここでの主面とは、言及している対象（ここでは粘着パッド１０）の厚み方向Ｚの両面をいう。
【００２７】
粘着体３０は導電性を有する。粘着体３０は、粘着パッド１０に対応する電極部２０と身体Ｂを導通させる。本実施形態の粘着体３０は粘着性ゲルが構成する。これには、たとえば、積水化成品工業株式会社製「テクノゲル（登録商標）」、型番ＳＲ−ＲＡ２４０／１００が用いられる。
【００２８】
装置粘着面３２は、電気刺激装置１４を身体Ｂに取り付けるとき、電気刺激装置１４の電極部２０と対向して設けられる。装置粘着面３２は、その電極部２０に着脱可能に貼り付けられる（図２（ａ）も参照）。装置粘着面３２は、粘着パッド１０そのものの一方の主面が構成する。本実施形態の装置粘着面３２は、粘着体３０の主面の全域に設けられる。
【００２９】
身体対向面３４は、電気刺激装置１４を身体Ｂに取り付けるとき、身体Ｂと対向して設けられる。身体対向面３４は、粘着パッド１０そのものの他方の主面が構成する。身体対向面３４には、身体Ｂに着脱可能に貼り付けられる身体粘着領域３６が設けられる。身体粘着領域３６は、粘着体３０そのものの他方の主面の一部が構成する。身体粘着領域３６は、装置粘着面３２と実質的に同じ粘着力を持つ。本明細書での「実質的」とは、言及している条件を字句通りに満たす場合に限らず、ほぼ満たしている場合も含まれる。
【００３０】
身体対向面３４には弱粘着領域３８が設けられる。弱粘着領域３８は、構造や素材の違いに起因して、弱粘着領域３８とは表裏反対側にある装置粘着面３２の一部３２ｂより粘着力が弱められている。本明細書での「表裏反対側」とは、粘着パッド１０の厚み方向Ｚから見て、粘着パッド１０の表裏で重なる位置をいう。つまり、弱粘着領域３８は、弱粘着領域３８と厚み方向Ｚで重なる位置にある装置粘着面３２の一部３２ｂより粘着力が弱められている。
【００３１】
ここでの「粘着力が弱い」とは、単位面積当たりの粘着力［Ｎ／ｃｍ２］が弱いことをいう。本実施形態の弱粘着領域３８は、粘着体３０とは別体のシート体４０が構成する。本実施形態のシート体４０は非粘着性を持ち、そのシート体４０が構成する弱粘着領域３８も非粘着性を持つことになる。ここでの「非粘着性」とは、粘着力を全く持っていない状態だけではなく、粘着により貼り付けられない程度に粘着力が弱められている状態も含む。弱粘着領域３８は、このようなシート体４０が構成することで、構造の違いに起因して、装置粘着面３２より粘着力が弱められている。また、本実施形態の弱粘着領域３８は、身体粘着領域３６より粘着力が弱められている。
【００３２】
シート体４０は、粘着体３０の主面に貼り付けられることで粘着体３０と一体化される。本実施形態のシート体４０は粘着体３０の未弾性変形状態での厚み寸法より薄い厚み寸法を持つ。身体粘着領域３６を身体Ｂに貼り付けるとき、粘着体３０の身体粘着領域３６が設けられている箇所３０ｂより粘着体３０のシート体４０が貼り付けられている箇所３０ｃが圧縮変形し、身体粘着領域３６が身体Ｂに貼り付けられる（図２（ａ）参照）。
【００３３】
シート体４０の外端面４０ａは、厚み方向Ｚと直交する方向（長辺方向Ｘ及び短辺方向Ｙ）において、粘着体３０の外端面３０ｄと揃う位置に設けられる。これにより、粘着体３０の外端面３０ｄからシート体４０がはみ出ない構造となる。これに伴い、粘着体３０から剥離させる力がシート体４０に付与され難くなり、粘着体３０からシート体４０を剥離し難くできる。
【００３４】
本実施形態の弱粘着領域３８は、身体対向面３４の外縁部３４ａに少なくとも設けられる。本実施形態の弱粘着領域３８は、このような身体対向面３４の外縁部３４ａを含む部位として、身体対向面３４の長辺方向Ｘの一端部３４ｂと、その長辺方向Ｘの他端部３４ｃとに個別に設けられる。
【００３５】
本実施形態の弱粘着領域３８は、身体対向面３４の長辺方向Ｘの端部３４ｂ、３４ｃに設けられるとともに短辺方向Ｙに延びる第１部分４２と、第１部分４２の短辺方向Ｙの端部に連なりその端部から長辺方向Ｘに延びる第２部分４４とを有する。第２部分４４は、第１部分４２の短辺方向Ｙの両端部に対応して個別に設けられ、それぞれの端部から長辺方向Ｘに延びている。第２部分４４は、短辺方向Ｙの外側に設けられる外辺部４４ａと、外辺部Ｙとは短辺方向Ｙの逆側に設けられる内辺部４４ｂとを有する。第２部分４４の内辺部４４ｂは、第１部分４２から長辺方向Ｘに離れるにつれて外辺部４４ａに近づくように設けられる。
【００３６】
このような身体粘着領域３６は、身体対向面３４の長辺方向Ｘの一方の端部から長辺方向Ｘの他方の端部側に向かうにつれて、短辺方向Ｙの大きさが大きくなるように構成される。本実施形態では、身体粘着領域３６の長辺方向Ｘの一端側領域３６ａは、身体対向面３４の一端部３４ｂ（一方の端部）から他端部３４ｃ（他方の端部）に向かうにつれて、この条件を満たすように構成される。また、本実施形態では、身体粘着領域３６の長辺方向Ｘの他端側領域３６ｂは、身体対向面３４の他端部３４ｃ（一方の端部）から一端部３４ｂ（他方の端部）に向かうにつれて、この条件を満たすように構成される。本実施形態の身体粘着領域３６は、粘着パッド１０の他方の端部側に向かうにつれて、短辺方向Ｙの大きさが連続的に大きくなるように構成される。
【００３７】
シート体４０の縁部は四つの角部４０ｂ、４０ｃをなす。四つの角部４０ｂ、４０ｃには、長辺方向Ｘの一方の端部かつ短辺方向Ｙの端部を形成する二つの第１角部４０ｂと、長辺方向Ｘの他方の端部かつ短辺方向Ｙの端部を形成する二つの第２角部４０ｃとが含まれる。第２角部４０ｃは、第２部分４４の外辺部４４ａと内辺部４４ｂが形成する。本実施形態の四つの角部４０ｂ、４０ｃはいずれも外向きに凸となる円弧状をなす。
【００３８】
以上の粘着パッド１０の剥離方法を説明する。図２を参照する。粘着パッド１０を身体Ｂから剥離する場合、前述の通り、粘着パッド１０の弱粘着領域３８と厚み方向Ｚで重なる位置が剥離力受け部１０ａとなるように電気刺激装置１４に剥離力Ｆａを付与する。これを実現するうえで、身体Ｂからの引き離しを伴い電気刺激装置１４の本体部１８をめくるように手動で動かしてもよい。この他にも、身体Ｂの肌面の法線方向に引き離すように電気刺激装置１４の本体部１８を動かしてもよい。このとき、電気刺激装置１４の本体部１８を掴んだ状態で手動で本体部１８を動かしてもよいし、ばね等の外力付与機構を利用して機械的に動かしてもよい。
【００３９】
以上の動きにより、弱粘着領域３８と身体Ｂの界面を起点として剥離を開始したら、その剥離が進展するように電気刺激装置１４の本体部１８に剥離力Ｆａを継続的に付与し、粘着パッド１０の身体対向面３４の全域を身体Ｂから剥離させる。
【００４０】
以上の粘着パッド１０の効果を説明する。
【００４１】
（Ａ）粘着パッド１０の身体対向面３４には弱粘着領域３８が設けられる。よって、前述の通り、粘着パッド１０の装置粘着面３２から電気刺激装置１４が剥離する事態を避けられ、粘着パッド１０の肌残りを抑えられる。
【００４２】
（Ｂ）粘着パッド１０の弱粘着領域３８は、身体対向面３４の外縁部３４ａに少なくとも設けられる。よって、電気刺激装置１４の本体部１８をめくるように身体Ｂから引き離す動きによって、粘着パッド１０の外縁部が剥離力受け部１０ａとなるように剥離力Ｆａを付与できる。これに伴い、身体対向面３４の外縁部３４ａにある弱粘着領域３８にも剥離力Ｆａを付与でき、電気刺激装置１４とともに粘着パッド１０を身体Ｂから簡単な動きで剥離できる。
【００４３】
粘着パッド１０の弱粘着領域３８は、粘着体３０とは別体のシート体４０が構成する。よって、シート体４０を粘着体３０に粘着するだけで簡易に弱粘着領域３８を構成できる。
【００４４】
シート体４０の縁部がなす角部４０ｂ、４０ｃは円弧状をなす。よって、身体対向面３４にシート体４０が設けられる場合に、その角部４０ｂ、４０ｃが尖状をなす場合と比べ、その角部４０ｂ、４０ｃの身体Ｂに対する当たりを柔らかくできる。
【００４５】
（Ｃ）粘着パッド１０の弱粘着領域３８は、身体対向面３４の両端部３４ｂ、３４ｃに設けられる。よって、身体対向面３４の両端部３４ｂ、３４ｃのどちらに剥離力を付与したときでも、粘着パッド１０を身体Ｂから剥離し易くなる。
【００４６】
身体から粘着パッド１０を剥離するとき、剥離領域と未剥離領域の境界位置５０（図２（ｃ）参照）を変えつつ剥離が進展する。この境界位置５０が弱粘着領域３８より粘着力の大きい身体粘着領域３６まで達すると、そこから付与すべき剥離力が増大する。
【００４７】
（Ｄ）ここで、本実施形態では、身体粘着領域３６は、粘着パッド１０の一方の端部から他方の端部側に向かうにつれて、短辺方向Ｙの大きさが大きくなるように構成される。よって、身体対向面３４の一方の端部から他方の端側に向かって剥離するとき、その剥離に要する力が徐々に大きくなることになる。このため、身体粘着領域３６を最初は軽い力で剥がし易くできる。
【００４８】
次に、粘着パッド１０を用いたパッドユニット６０を説明する。図８は、本実施形態のパッドユニット６０の側面断面図であり、図９は、図８の矢視Ｃからパッドユニット６０を見た図である。パッドユニット６０は、粘着パッド１０を運搬等するときに用いられる。パッドユニット６０は、粘着パッド１０と、その装置粘着面３２を覆う第１剥離シート６２と、その身体対向面３４を覆う第２剥離シート６４とを備える。
【００４９】
第１剥離シート６２は、装置粘着面３２を保護する役割を持つ。第１剥離シート６２は、装置粘着面３２に貼り付けられることで一体化される。第２剥離シート６４は、身体対向面３４の弱粘着領域３８や身体粘着領域３６を保護する役割を持つ。第２剥離シート６４は、身体粘着領域３６に貼り付けられることで一体化される。第１剥離シート６２や第２剥離シート６４は、たとえば、ＰＥＴ樹脂等の非粘着性を持つ素材により構成される。
【００５０】
粘着体３０は、身体粘着領域３６が設けられている箇所３０ｂよりシート体４０が貼り付けられている箇所３０ｃが圧縮変形している。この状態で身体粘着領域３６が第２剥離シート６４に貼り付けられる。
【００５１】
第２剥離シート６４は、身体粘着領域３６の他に、身体粘着領域３６より粘着力の弱い弱粘着領域３８を覆っている。よって、第２剥離シート６４を身体粘着領域３６から剥離するための力を、第２剥離シート６４の弱粘着領域３８と対向する箇所に付与することで、粘着パッド１０の身体対向面３４から第２剥離シート６４を引き離し易くなる。これに伴い、身体粘着領域３６から第２剥離シート６４を剥離し易くなる。
【００５２】
（第２の実施の形態）
図１０は、第２実施形態の粘着パッド１０の側面断面図であり、図１１は、図１０の矢視Ｅから粘着パッド１０を見た図である。本実施形態の粘着パッド１０は、第１実施形態と比べて、弱粘着領域３８が相違する。
【００５３】
本実施形態の弱粘着領域３８は、粘着体３０の表面（主面）に複数の切れ目７０を形成して構成される。切れ面７０は、厚み方向Ｚに底部を持つ溝状をなし、粘着体３０を厚み方向Ｚに貫通していない。本実施形態では複数の切れ目７０は格子状をなすが、縞状等をなしていてもよい。このように構成される弱粘着領域３８は、単位面積当たりの粘着力が身体粘着領域３６よりも小さくなる。
【００５４】
本実施形態の粘着パッド１０によっても、前述の（Ａ）〜（Ｄ）の効果を得られる。また、本実施形態によれば、粘着体３０の主面に複数の切れ目７０を形成するだけで簡易に弱粘着領域３８を構成できる。
【００５５】
このように弱粘着領域３８は、装置粘着面３２より単位面積当たりの粘着力が弱ければよく、その具体例は特に限定されない。たとえば、弱粘着領域３８は、装置粘着面３２を構成する粘着体３０より粘着力の弱い素材を用いて構成されてもよい。また、非粘着性を持つ弱粘着領域３８の具体例は特に限定されない。たとえば、粘着体３０の表面にコーティングされる非粘着性材料により構成されてもよい。
【００５６】
以上、実施形態をもとに本発明を説明した。次に、各構成要素の変形例を説明する。
【００５７】
コントロールユニット１６は、電気刺激装置１４と一体化される例を説明したが、電気刺激装置１４から分離して配置されていてもよい。
【００５８】
本体部１８の身体取付箇所は特に限定されない。たとえば、本体部１８は、ユーザの四肢、体幹及び頭部のなかのいずれかに取り付けられてもよい。本体部１８の形状は特に限定されない。たとえば、本体部１８はベルト状をなしてもよい。また、本体部１８の素材も特に限定されず、エラストマーの他にも、たとえば、生地等でもよい。
【００５９】
電極部２０は、本体部１８とは別体に設けられていてもよい。この場合、電極部２０は、本体部１８に着脱可能に設けられていてもよい。
【００６０】
配線部２２は、本体部１８とは別体に設けられていてもよい。
【００６１】
粘着パッド１０は、シート状をなしていればよく、その厚み方向Ｚから見た形状は特に限定されない。
【００６２】
粘着パッド１０の弱粘着領域３８が設けられる位置は特に限定されない。たとえば、身体対向面３４の外縁部３２ａより内側の部分にのみ設けられてもよい。
【００６３】
弱粘着領域３８は、身体粘着領域３６より粘着力が弱い例を説明したが、身体粘着領域３６と同程度の粘着力を持っていてもよい。
【００６４】
（Ｄ）の効果を得るうえでは、たとえば、粘着パッド１０の一方の端部から他方の端側に向かうにつれて、身体粘着領域３６の短辺方向Ｙの大きさが段階的に大きくなるように構成されてもよい。
【００６５】
シート体４０の角部４０ｂ、４０ｃは尖状をなしていてもよい。
【００６６】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【符号の説明】
【００６７】
１０…粘着パッド、１２…電気刺激ユニット、１４…電気刺激装置、２０…電極部、３０…粘着体、３２…電気刺激装置粘着面、３２ａ…外縁部、３４…身体対向面、３４ａ…外縁部、３６…身体粘着領域、３８…弱粘着領域、４０…シート体、４０ｂ…角部。
【図１】
2020162729.tif 000003
【図２】
2020162729.tif 000004
【図３】
2020162729.tif 000005
【図４】
2020162729.tif 000006
【図５】
2020162729.tif 000007
【図６】
2020162729.tif 000008
【図７】
2020162729.tif 000009
【図８】
2020162729.tif 000010
【図９】
2020162729.tif 000011
【図１０】
2020162729.tif 000012
【図１１】
2020162729.tif 000013